(57)【要約】【課題】  ダイヤルを回動させることで所望の消灯時間に容易に合わせることができる光電式自動点滅器を提供する。【解決手段】  周囲照度が一定レベル以下に低下すると照明負荷に通電して点灯させ、点灯してから消灯までの時間は、ダイヤル２２を回動させることで変化するボリューム２４の抵抗値に応じてプリント基板２１上のタイマ部で設定されており、消灯時間になるとタイマ部から出力されるタイマ信号を受けたプリント基板２１上の制御部はＥＥスイッチ出力端子台２７の接点をオフさせることで外部電源から照明負荷への通電を停止させる。タイマ設定時間は、ダイヤル２２の回動角度に対して離散的にされるとともに、各目盛りの整数を中心とする一定の角度範囲内では、その整数に対応した時間に設定される。【選択図】図１
2005050658.tif 000002
【特許請求の範囲】
【請求項１】
周囲照度によって照明負荷の通電を導通・停止させる光電式自動点滅器において、予め設定される消灯時間が経過すると照明負荷への通電を停止させるタイマ機能を具備して、照明負荷を点灯させてから消灯させるまでの時間を示す整数の数字を外周に沿って複数配して回動自在なダイヤルと、ダイヤルの回動位置に応じて消灯時間を設定する設定手段とを備え、ダイヤルの回動位置がダイヤルの各整数の数字を中心とした所定の回動角の範囲内であれば、設定手段は各整数の数字で表される消灯時間に設定することを特徴とする光電式自動点滅器。
【請求項２】
照明負荷の通電を導通・停止させる照度レベルの切替手段を備えることを特徴とする請求項１記載の光電式自動点滅器。
【請求項３】
時計手段を具備して、定刻に照明負荷への通電を停止させる定刻消灯機能を備えることを特徴とする請求項１または２記載の光電式自動点滅器。
【請求項４】
前記設定手段は、ダイヤルの回動位置に応じて抵抗値を可変とする可変抵抗器を備えて、可変抵抗器の抵抗値に応じて消灯時間を設定するとともに、可変抵抗器の抵抗値が最小あるいは最大のときは、前記設定手段で設定されるタイマ機能を停止させることを特徴とする請求項１乃至３いずれか記載の光電式自動点滅器。
【発明の詳細な説明】
【技術分野】
【０００１】
本発明は、光電式自動点滅器に関するものである。
【背景技術】
【０００２】
従来、周囲照度を検出して所定の点灯照度よりも低下したときに外部電源（商用電源）から照明負荷への給電路をオンして照明負荷を点灯し、予め設定される消灯時間になると外部電源から照明負荷への給電路をオフして照明負荷を消灯させる光電式自動点滅器が提供されている。（例えば、特許文献１参照）
次に図９（ａ），（ｂ）、図１０に示す従来の光電式自動点滅器は、壁面Ｗに取り付けられた箱状の合成樹脂等の成形品から成る器体１０を有し、器体１０の前面下部には右に偏倚してアースねじ４２を設け、下面には照明負荷に電力を供給するコンセント２６を２個設けている。また、器体１０の前面に設けた略矩形の開口１０ａに露出するダイヤル２２を回動させることで消灯時間を設定している。
【特許文献１】実開平６−４５２９３号公報（段落番号［００１６］、図２，図３）
【発明の開示】
【発明が解決しようとする課題】
【０００３】
ところで従来の光電式自動点滅器での消灯時間の設定は、一般にタイマセット釦の押操作や、ダイヤルを回動させることによって行われる。特にダイヤルを用いる構成において、この設定は殆どの場合１時間単位で行われるが、ダイヤルの目盛りを正確に１時間単位に合わせることは困難であった。
【０００４】
本発明は、上記事由に鑑みてなされたものであり、その目的は、ダイヤルを回動させることで所望の消灯時間に容易に合わせることができる光電式自動点滅器を提供することにある。
【課題を解決するための手段】
【０００５】
請求項１の発明は、周囲照度によって照明負荷の通電を導通・停止させる光電式自動点滅器において、予め設定される消灯時間が経過すると照明負荷への通電を停止させるタイマ機能を具備して、照明負荷を点灯させてから消灯させるまでの時間を示す整数の数字を外周に沿って複数配して回動自在なダイヤルと、ダイヤルの回動位置に応じて消灯時間を設定する設定手段とを備え、ダイヤルの回動位置がダイヤルの各整数の数字を中心とした所定の回動角の範囲内であれば、設定手段は各整数の数字で表される消灯時間に設定することを特徴とし、ダイヤルを回動させることで所望の消灯時間、特にダイヤルの整数の数字で表される消灯時間に容易に合わせることができる。
【０００６】
請求項２の発明は、請求項１において、照明負荷の通電を導通・停止させる照度レベルの切替手段を備えることを特徴とし、様々な設置環境でも点灯する時刻を同一に調整可能である。
【０００７】
請求項３の発明は、請求項１または２において、時計手段を具備して、定刻に照明負荷への通電を停止させる定刻消灯機能を備えることを特徴とし、毎日同じ時刻に消灯可能である。
【０００８】
請求項４の発明は、請求項１乃至３いずれかにおいて、前記設定手段は、ダイヤルの回動位置に応じて抵抗値を可変とする可変抵抗器を備えて、可変抵抗器の抵抗値に応じて消灯時間を設定するとともに、可変抵抗器の抵抗値が最小あるいは最大のときは、前記設定手段で設定されるタイマ機能を停止させることを特徴とし、切スイッチ付きの可変抵抗器を用いなくてもよく、簡素化、合理化を図ることができる。
【発明の効果】
【０００９】
以上説明したように、本発明では、ダイヤルを回動させることで所望の消灯時間に容易に合わせることができるという効果がある。
【発明を実施するための最良の形態】
【００１０】
（実施形態１）
本実施形態の光電式自動点滅器の構成について図１〜図４を用いて以下説明する。まず、ボディ２０は裏面が開口した箱状の合成樹脂等の成形品からなり、裏面開口を裏ふた３０で被蔽しており、ボディ２０と裏ふた３０とは取付ビス７０ｃで取り付けられる。
【００１１】
ボディ２０の内部には、プリント基板２１と、ボディ２０の前面に設けた半円形の開口２０ａに露出するダイヤル２２と、内側の凹部にダイヤル２２を配するとともにプリント基板２１上に周囲の光を導入する採光窓２３と、ダイヤル２２が回動することによって抵抗値が変化するボリューム２４と、外部電源からの配線が接続される端子台２５と、ボディ２０の下面に設けた矩形の開口２０ｂに各々露出して外部の照明負荷に接続したプラグが挿入される３個のコンセント２６と、内部に設けた接点がオンすると外部電源から端子台２５及びコンセント２６を介して照明負荷に通電するＥＥスイッチ出力端子台２７と、開口２０ｂに露出して各コンセント２６の出力動作を切り替える３個の切替スイッチ２８と、開口２０ｂに露出して各コンセント２６の通電時に各々点灯する３個の表示灯２９が収納されている。
【００１２】
プリント基板２１は、採光窓２３を介して導入された周囲の光から周囲照度を検出する照度検出部を構成する光電変換素子と、現在時刻をカウントし予め設定される消灯時間になるとタイマ信号を出力するタイマ部と、照度検出部で検出される周囲照度、及びタイマ部からのタイマ信号に応じてＥＥスイッチ出力端子台２７に制御信号を出力して接点をオン・オフさせることで照明負荷への通電を導通・停止させる制御部とを備えて、取付ビス７０ａでボディ２０内部に取着される。なお、上記タイマ部と制御部とはマイコンで構成されている。
【００１３】
採光窓２３は、下面に突設した２本の柱体２３ａを裏ふた３０の前面に設けた穴３０ａに挿入するとともに取付ビス７０ｂでボディ２０内部に取着され、その中央に設けた円形の孔２３ｂにボリューム２４の軸２４ａが挿通されて、軸２４ａの端部はダイヤル２２の中心に取り付けられる。したがってダイヤル２２を回動させることで軸２４ａも回動し、ボリューム２４の抵抗値が変化し、この抵抗値はプリント基板２１上のタイマ部で検出される。
【００１４】
また、ボディ２０の前面には矩形の開口２０ｃと円形の開口２０ｄとが設けられ、７セグメントの表示器４０が矩形の開口２０ｃに露出し、照度調整ボリューム４１が円形の開口２０ｄに露出している。さらに、ボディ２０の前面下部の略中央にはアースねじ４２が取り付けられている。
【００１５】
上記のように構成された光電式自動点滅器を壁面Ｗに取り付ける場合には端子台２５に対応する開口５１を設けた防水パッキン５０を壁面Ｗとの間に介在させた状態で、壁面Ｗから導出される電源線を開口窓６１に挿通させて壁面Ｗに配設される絶縁取付枠６０に対して、ボディ２０の長手方向両端部の略中央に設けてあるねじ挿通孔２０ｅと、防水パッキン５０に設けたねじ挿通孔５２とに挿通させた取付ねじ７０ｄ，７０ｄを、絶縁取付枠６０の長手方向両端部略中央に設けたねじ孔６２に螺合することで壁面Ｗに固定するのである。
【００１６】
上述のように構成された本実施形態の光電式自動点滅器を使用する場合には最初に切替スイッチ２８で動作モードを設定する。切替スイッチ２８は、各コンセント２６毎に対応して「入」、「切」の２段階に切り替え可能なスライドスイッチで構成される。まず、「入」に設定した場合、プリント基板２１上の光電変換素子で検出される周囲照度が、照度調整ボリューム４１で設定されるレベル以下に低下した場合、プリント基板２１上の制御部はＥＥスイッチ出力端子台２７に制御信号を出力して接点をオンさせることで、外部電源から端子台２５及び対応するコンセント２６を介して照明負荷に通電し点灯させる。
【００１７】
そして点灯してから消灯までの時間は、ダイヤル２２を回動させることで変化するボリューム２４の抵抗値に応じて、プリント基板２１上のタイマ部で設定されて、表示器４０に表示されており、タイマ部は設定された消灯時間になるとタイマ信号を出力し、タイマ信号を受けたプリント基板２１上の制御部はＥＥスイッチ出力端子台２７に制御信号を出力して接点をオフさせることで外部電源から照明負荷への通電を停止して、消灯させる。
【００１８】
以下、ダイヤル２２による消灯時間の設定について説明する。ダイヤル２２は図５に示すように円板型に形成され、点灯してから消灯するまでの時間（タイマ設定時間）を示す「１〜１０」の各数字を外周に沿って配し、「１」と「１０」の間には「切」の文字を配している。「１〜１０」の各数字は、タイマ設定時間を１時間単位で表したもので、例えばダイヤル２２の目盛りを「３」に合わせると、点灯してから３時間後（１８０分後）に消灯する。
【００１９】
図６は、ダイヤル２２の目盛りと、ダイヤル２２の回動角度と、プリント基板２１上のタイマ部（マイコン）で設定されるタイマ設定時間との関係を示したもので、目盛り「切」から目盛り「２」までのダイヤル２２の回動角度は１０４°であり、目盛り「２」〜「１０」の各数字間の回動角度は２３°に設定されている。また、ダイヤル２２の各数字の外周側にはライン２２ａが形成されており、このライン２２ａの両端間の回動角度は１８度に設定されている。そして、従来は破線に示すようにダイヤル２２の回動角度に対してタイマ設定時間は比例して連続的に増加していたが、本実施形態ではダイヤル２２の目盛りを「１」から「１０」方向へ回動させるにつれてタイマ設定時間は階段状に増加し（実線）、特に、目盛り「２」のライン２２ａの一端（「１」側）から１４°の範囲、及び目盛り「３」〜「１０」の各数字を中心とする１０°の各範囲内はタイマ設定時間の変動はなく、各数字に対応する１時間単位のタイマ設定時間に設定される。例えば、目盛り「５」を中心とする１０°の範囲内は３００分（５時間）に設定される。対して、目盛り「２」のライン２２ａの一端から１４°の範囲外、及び目盛り「３」〜「１０」を各々中心とする１０°の範囲外では、ダイヤル２２の回動角度が６〜７°の範囲毎にタイマ設定時間は設定される。なお、実線上の各数字は各段階でのタイマ設定時間（分）を示している。
【００２０】
このようにダイヤル２２の回動角度に対して離散的にタイマ設定時間を設定するとともに、各目盛りの整数を中心とする一定の角度範囲内では、その整数に対応した時間に設定されるため、タイマ設定時間を所望の時間に設定しやすく、特に目盛りの整数に対応する設定時間の角度範囲が広く、１時間単位の設定が容易になっている。
【００２１】
また、ボリューム２４は、ダイヤル２２の目盛りを「切」に設定したときにオフ信号を出力するスイッチ素子を具備した構造であり、プリント基板２１上のタイマ部はオフ信号を入力されると、プリント基板２１上の制御部にタイマ切信号を出力して、上記ダイアル２２によって設定されたタイマ時間後に消灯するタイマ機能を停止させる。
【００２２】
タイマ機能が停止したときの消灯動作は、プリント基板２１上の光電変換素子で検出される周囲照度が照度調整ボリューム４１で設定されるレベルを超えた場合に、プリント基板２１上の制御部がＥＥスイッチ出力端子台２７に制御信号を出力して接点をオフさせることで、外部電源からの通電を停止して消灯させる。この点灯・消灯を切り替える照度レベルは照度調整ボリューム４１で可変でき、様々な設置環境に対応できる。
【００２３】
次に切替スイッチ２８を「切」に設定した場合、対応するコンセント２６においては、プリント基板２１上の光電変換素子で検出される周囲照度によって、外部電源からの通電を導通・停止させて点灯・消灯が切り替わる動作を行い、周囲照度が照度調整ボリューム４１で設定されるレベル以下に低下した場合に点灯し、周囲照度が設定レベルを超えた場合に消灯する。
（実施形態２）
実施形態１においてプリント基板２１上に時計手段を設ければ、ダイアル２２によって設定されたタイマ時間後に消灯するタイマ機能を停止させた場合に、図２（ａ），図３，図４に示すような表示器４０の近傍に設けた設定ボタン４２ａ，４２ｂ，４２ｃで設定した消灯時刻に、プリント基板２１上の制御部がＥＥスイッチ出力端子台２７に制御信号を出力して接点をオフさせることで外部電源から照明負荷への通電を定刻に停止して消灯させる定刻消灯機能を備えることができる。表示器４０は、上記のように設定された消灯時刻、現在時刻等を表示でき、これらの表示設定は設定ボタン４２ａ，４２ｂ，４２ｃによって行うことができる。
【００２４】
タイマ機能及び定刻消灯機能ともに停止させた場合には、プリント基板２１上の光電変換素子で検出される周囲照度によって、外部電源からの通電を導通・停止させて点灯・消灯が切り替わる動作を行い、周囲照度が照度調整ボリューム４１で設定されるレベル以下に低下した場合に点灯し、周囲照度が設定レベルを超えた場合に消灯する。
（実施形態３）
本実施形態の光電式自動点滅器は、図７，図８に示すように、実施形態１の構成から表示器４０を削除して、表示機能を省いたものであり、他の構成及び動作は実施形態１と同様であり、説明は省略する。
（実施形態４）
本実施形態の光電式自動点滅器のボリューム２４は、実施形態１〜３のようにダイヤル２２の目盛りを「切」に設定したときにオフ信号を出力するスイッチ素子を具備したものではなく、プリント基板２１上のタイマ部はボリューム２４の抵抗値が最大（あるいは最小）となると、プリント基板２１上の制御部にタイマ切信号を出力する。他の構成及び動作は実施形態１乃至３いずれかと同様であり、説明は省略する。
【図面の簡単な説明】
【００２５】
【図１】本発明の実施形態１の構成を示す分解斜視図である。
【図２】（ａ）同上の構成を示す前面図である。（ｂ）同上の構成を示す下面図である。（ｃ）同上の構成を示す側面図である。
【図３】同上の側方からみた取り付け状態を示す斜視図である。
【図４】同上の下方からみた取り付け状態を示す斜視図である。
【図５】同上のダイヤルを示す図である。
【図６】同上のダイヤルの目盛りと、ダイヤルの回動角度と、タイマ設定時間との関係を示す図である。
【図７】本発明の実施形態３の構成を示す前面図である。
【図８】同上の構成を示す斜視図である。
【図９】（ａ）従来の構成を示す前面図である。（ｂ）同上の構成を示す側面図である。
【図１０】同上の取り付け状態を示す斜視図である。
【符号の説明】
【００２６】
２０  ボディ
２１  プリント基板
２２  ダイヤル
２３  採光窓
２４  ボリューム
２５  端子台
２６  コンセント
２７  ＥＥスイッチ出力端子台
２８  切替スイッチ
３０  裏ふた
４１  照度調整ボリューム
５０  防水パッキン
６７  絶縁取付枠
【図１】
2005050658.tif 000003
【図２】
2005050658.tif 000004
【図３】
2005050658.tif 000005
【図４】
2005050658.tif 000006
【図５】
2005050658.tif 000007
【図６】
2005050658.tif 000008
【図７】
2005050658.tif 000009
【図８】
2005050658.tif 000010
【図９】
2005050658.tif 000011
【図１０】
2005050658.tif 000012